(57)【要約】【課題】親機保留のために子機側で通話できない状態を短くすることができる親子電話装置を提供すること。【解決手段】親機１０側での外線通話中に操作キー１２ａにより外線通話を保留するための操作が行われると、親機１０側で保留状態となる。その後に、子機５０側で発呼操作が行われると、親機１０の保留状態に加えて子機５０も保留状態になる親子保留状態になり、表示パネル１２ｂと表示パネル５３ｂに親子保留状態である旨が表示される。この後に、子機５０側で親子保留状態を解除するための操作が行われると親子保留状態が解除されて、さらに子機５０が電話回線網１００に接続されることで外線通話が可能になる。【選択図】図１
2004304300.tif 000002
【特許請求の範囲】
【請求項１】
電話回線網を介して相手側電話装置との間で音声信号の送受信を行う第１通信手段と、子機と無線通信を行う第２通信手段とを備えた親機と、前記親機と無線通信を行う子機とを備え、
前記親機は、前記親機が前記相手側電話装置との間での通話を保留中のときに、前記子機からの通話要求を前記第２通信手段を介して受信すると、前記親機が保留されている旨を表す第１報知信号を前記第２通信手段を介して前記子機へ送信するとともに、前記子機の通話を保留とし、その後に前記子機から保留解除要求を前記第２通信手段を介して受信すると、前記子機の保留を解除して前記子機と前記相手側電話装置との間での通話を許可するように構成され、
前記子機は、前記親機から前記第１報知信号を受信すると、前記親機が保留されている旨を周囲に報知するように構成された親子電話装置であって、
さらに前記親機は、
前記親機が前記相手側電話装置との間での通話を保留中に、前記子機からの通話要求を前記第２通信手段を介して受信すると、前記子機からの通話要求がある旨を周囲に報知する第１報知手段を備えること、
を特徴とする親子電話装置。
【請求項２】
前記親機は、前記親機に設けられた親機送受話器のオフフック状態を検出する検出手段を備え、前記子機から前記保留解除要求を前記第２通信手段を介して受信したときに、前記検出手段において前記オフフック状態を検出すると、前記子機の保留解除を禁止することを特徴とする請求項１に記載の親子電話装置。
【請求項３】
前記親機は、前記子機から前記保留解除要求を前記第２通信手段を介して受信したときに、前記検出手段において前記オフフック状態を検出すると、前記子機の保留解除を禁止する旨を表す第２報知信号を前記第２通信手段を介して前記子機へ送信し、
前記子機は、前記親機から前記第２報知信号を受信すると、前記子機の保留解除を禁止する旨を周囲に報知する、
ことを特徴とする請求項２に記載の親子電話装置。
【請求項４】
電話回線網を介して相手側電話装置との間で音声信号の送受信を行う第１通信手段と、子機と無線通信を行う第２通信手段とを備えた親機と、前記親機と無線通信を行う子機とを備え、
前記親機は、前記親機が前記相手側電話装置との間での通話を保留中のときに、前記子機からの通話要求を前記第２通信手段を介して受信すると、前記親機が保留されている旨を表す第１報知信号を前記第２通信手段を介して前記子機へ送信するとともに、前記子機の通話を保留とし、その後に前記子機から保留解除要求を前記第２通信手段を介して受信すると、前記子機の保留を解除して前記子機と前記相手側電話装置との間での通話を許可するように構成され、
前記子機は、前記親機から前記第１報知信号を受信すると、前記親機が保留されている旨を周囲に報知するように構成された親子電話装置であって、
さらに前記親機は、
操作者の操作によって、前記子機との間で通話を行うための第１内線通話開始指令を入力するための第１内線通話開始指令入力手段を備え、前記子機の通話を保留とした後に前記子機から内線通話要求を前記第２通信手段を介して受信すると、前記子機から内線通話要求がある旨を周囲に報知し、その後に前記第１内線通話開始指令入力手段から前記第１内線通話開始指令が入力されると、前記相手側電話装置との間での通話を保留のまま、前記子機と前記親機との間での通話を許可し、
さらに前記子機は、前記親機との間で通話を行うための第２内線通話開始指令を入力するための第２内線通話開始指令入力手段を備え、前記第２内線通話開始指令入力手段から前記第２内線通話開始指令が入力されると、前記内線通話要求を前記第２通信手段を介して前記親機へ送信する、
ことを特徴とする親子電話装置。
【発明の詳細な説明】
【０００１】
【発明の属する技術分野】
本発明は、電話回線網を介して相手側電話装置との間で通信を行う親機と、親機と無線通信を行う子機とからなる親子電話装置に関する。
【０００２】
【従来の技術】
親機が外線通話を保留中に、親機での保留を知らない子機の利用者が、子機から親機に対して通話要求をすることで意図せずに親機の保留を解除してしまうことを防止するために、親機が外線通話を保留中に、子機側でオフフック操作などの通話を開始するための操作を行うと、子機から警告を行うとともに子機からの通話を一旦不許可にし、その後、所定の条件を満たせば子機からの外線通話を許可する構成の親子電話装置がある（例えば、特許文献１参照。）。
【０００３】
【特許文献１】
特開平１１−３３１３２４号公報  （第３−４頁、第２図）
【０００４】
【発明が解決しようとする課題】
親機側の利用者が、親機の保留中に子機からの通話要求があることを知っていれば、現在保留中の通話の用件を早く終わらせようという気になり、子機側で通話ができるように親機側の利用者が配慮するような状況もあるが、上記の構成の親子電話装置では子機に警告を行うのみで、親機側では保留中に子機が通話要求をしたことがわからないため、親機側の利用者が上記の配慮をすることがなく、子機側で通話できない状態が長くなるという問題があった。
【０００５】
本発明は、上記問題を解決するためになされたもので、親機保留のために子機側で通話できない状態を短くするようにして使い勝手の良い親子電話装置を提供することを目的とする。
【０００６】
【課題を解決するための手段および発明の効果】
上記問題を解決するため請求項１に記載の親子電話装置は、電話回線網を介して相手側電話装置との間で音声信号の送受信を行う第１通信手段と、子機と無線通信を行う第２通信手段とを備えた親機と、前記親機と無線通信を行う子機とを備え、前記親機は、前記親機が前記相手側電話装置との間での通話を保留中のときに、前記子機からの通話要求を前記第２通信手段を介して受信すると、前記親機が保留されている旨を表す第１報知信号を前記第２通信手段を介して前記子機へ送信するとともに、前記子機の通話を保留とし、その後に前記子機から保留解除要求を前記第２通信手段を介して受信すると、前記子機の保留を解除して前記子機と前記相手側電話装置との間での通話を許可するように構成され、前記子機は、前記親機から前記第１報知信号を受信すると、前記親機が保留されている旨を周囲に報知するように構成された親子電話装置であって、さらに前記親機は、前記親機が前記相手側電話装置との間での通話を保留中に、前記子機からの通話要求を前記第２通信手段を介して受信すると、前記子機からの通話要求がある旨を周囲に報知する第１報知手段を備えること、を特徴とする。
【０００７】
このように構成された親子電話装置によれば、親機が相手側電話装置との間での通話を保留中に、子機からの通話要求を親機が受信すると、親機が備える第１報知手段が子機からの通話要求がある旨を周囲に報知する。
このため、親機側の利用者は、親機の通話を保留している際に子機からの通話要求がある旨を知り、子機側で通話ができるように現在保留中の用件をできるだけ早く終わらせるという配慮をすることが可能になり、子機側で通話できない状況を短くすることができる。
【０００８】
また、請求項１に記載の親子電話装置においては、更に請求項２に記載のように、前記親機は、前記親機に設けられた親機送受話器のオフフック状態を検出する検出手段を備え、前記子機から前記保留解除要求を前記第２通信手段を介して受信したときに、前記検出手段において前記オフフック状態を検出すると、前記子機の保留解除を禁止する、ようにしてもよい。
【０００９】
このように構成された親子電話装置によれば、親機が子機からの保留解除要求を受信した際に、親機送受話器がオフフック状態であれば、子機の保留は解除されない。
このため、親機送受話器がオフフック状態であるという、親機側で通話する可能性が高い状態において、相手側電話装置との間での通話を子機に取られてしまうということを防ぐことができる。
【００１０】
また、請求項２に記載の親子電話装置においては、更に請求項３に記載のように、前記親機は、前記子機から前記保留解除要求を前記第２通信手段を介して受信したときに、前記検出手段において前記オフフック状態を検出すると、前記子機の保留解除を禁止する旨を表す第２報知信号を前記第２通信手段を介して前記子機へ送信し、前記子機は、前記親機から前記第２報知信号を受信すると、前記子機の保留解除を禁止する旨を周囲に報知する、ようにしてもよい。
【００１１】
このように構成された親子電話装置によれば、親機が子機からの保留解除要求を受信した際に、親機送受話器がオフフック状態であれば、子機は保留解除を禁止する旨を周囲に報知する。
このため、子機側の利用者は、子機の保留を解除できない状態にあることを知ることができる。
【００１２】
また、請求項４に記載の親子電話装置は、電話回線網を介して相手側電話装置との間で音声信号の送受信を行う第１通信手段と、子機と無線通信を行う第２通信手段とを備えた親機と、前記親機と無線通信を行う子機とを備え、前記親機は、前記親機が前記相手側電話装置との間での通話を保留中のときに、前記子機からの通話要求を前記第２通信手段を介して受信すると、前記親機が保留されている旨を表す第１報知信号を前記第２通信手段を介して前記子機へ送信するとともに、前記子機の通話を保留とし、その後に前記子機から保留解除要求を前記第２通信手段を介して受信すると、前記子機の保留を解除して前記子機と前記相手側電話装置との間での通話を許可するように構成され、前記子機は、前記親機から前記第１報知信号を受信すると、前記親機が保留されている旨を周囲に報知するように構成された親子電話装置であって、さらに前記親機は、操作者の操作によって、前記子機との間で通話を行うための第１内線通話開始指令を入力するための第１内線通話開始指令入力手段を備え、前記子機の通話を保留とした後に前記子機から内線通話要求を前記第２通信手段を介して受信すると、前記子機から内線通話要求がある旨を周囲に報知し、その後に前記第１内線通話開始指令入力手段から前記第１内線通話開始指令が入力されると、前記相手側電話装置との間での通話を保留のまま、前記子機と前記親機との間での通話を許可し、さらに前記子機は、前記親機との間で通話を行うための第２内線通話開始指令を入力するための第２内線通話開始指令入力手段を備え、前記第２内線通話開始指令入力手段から前記第２内線通話開始指令が入力されると、前記内線通話要求を前記第２通信手段を介して前記親機へ送信する、ことを特徴とする。
【００１３】
このように構成された親子電話装置によれば、親機が子機の通話を保留した後に、子機からの内線通話要求を親機が受信すると、子機から内線通話要求がある旨を周囲に報知し、その後に第１内線通話開始指令入力手段から第１内線通話開始指令が入力されると、親機は相手側電話装置との間での通話を保留のまま、子機と親機との間での通話を許可する。
【００１４】
このため、親機が子機の通話を保留した後に、子機からの内線要求に応じて、子機と親機との間で内線通話できるので、子機の利用者は、子機側から通話を行いたい旨を内線通話で親機側の利用者に伝えることが可能になる。即ち、親機側の利用者は、子機側で通話ができるように現在保留中の用件をできるだけ早く終わらせるという配慮をすることが可能になり、子機側で通話できない状況を短くすることができる。
【００１５】
【発明の実施の形態】
（実施の形態１）
次に本発明の実施の形態１について、図面をもとに説明する。
コードレス親子電話機１は、図１に示すように、電話回線網１００に接続された親機１０と、無線回線で親機１０と通信を行う子機５０から構成されている。
【００１６】
親機１０は、親機１０全体の動作を制御する制御部１１，ユーザインターフェース部（以降、ユーザＩ／Ｆとする）１２，親機１０本体から取り外した状態で使用する送受話器であるハンドセット１３，音声入出力部１４，再生部１５、無線通信用の無線通信部１６，電話回線網１００経由で伝送される音声信号を入出力するＮＣＵ（ｎｅｔｗｏｒｋ  ｃｏｎｔｒｏｌ  ｕｎｉｔ）１７，親機１０内部における音声信号の伝送経路を切り換える経路切換部１８などを備えている。
【００１７】
これらのうち、ユーザＩ／Ｆ１２は、利用者により操作可能な複数の操作キー１２ａおよび各種情報を表示する表示パネル１２ｂからなる。
また、音声入出力部１４は、スピーカ１４ａ、マイク１４ｂおよびこれらを駆動する駆動回路１４ｃで構成され、スピーカ１４ａから音声信号に基づく音声を出力する以外に、スピーカ１４ａおよびマイク１４ｂを送受話器として、いわゆるハンズフリー通話を行うために使用することもできる。
【００１８】
また、再生部１５は、着信を受けた際に利用される呼出音、音声通話を保留する際に利用される保留音などの音声信号を記憶し、制御部１１からの指令を受けて、記憶されている音声信号を再生する。再生された音声はスピーカ１４ａから出力される。
【００１９】
また、無線通信部１６は、子機５０との間で音声信号を含めた各種信号を無線通信により送受信する。
また、経路切換部１８は、通話を開始するための操作が行われた場合に、親機１０外部との音声信号の入出力に利用する伝送経路をハンドセット１３，音声入出力部１４，無線通信部１６のいずれかに切り換える。具体的には、ハンドセット１３が親機１０本体から取り外された場合は、伝送経路をハンドセット１３に切り換え、ユーザＩ／Ｆ１２の操作キー１２ａによりハンズフリー通話を開始するための操作が行われた場合は、伝送経路を音声入出力部１４に切り換え、子機５０により通話を開始するための操作（後述の操作キー５３ａによる）が行われた場合には、伝送経路を無線通信部１６に切り換える。
【００２０】
また、子機５０は、子機５０全体の動作を制御する制御部５１、スピーカとマイクおよびこれらを駆動する駆動回路からなる送受話部５２、数字キーを含む複数の操作キー５３ａと各種情報を表示する表示パネル５３ｂからなるユーザＩ／Ｆ５３、あらかじめ記憶された各種音声信号に基づく音声を再生する再生部５４、再生部５４により再生された音声を出力するスピーカおよびスピーカを駆動する駆動回路からなるスピーカ部５５、親機１０（の無線通信部１６）との間で音声信号を含めた各種信号を無線通信により送受信する無線通信部５６などを備えている。この子機５０の備える再生部５４は、着信を受けた際に利用される呼出音、音声通話を保留する際に利用される保留音などの音声信号が記憶されている。
【００２１】
このように構成されたコードレス親子電話機１において、親機１０側での外線通話中に操作キー１２ａにより外線通話を保留するための操作が行われると、親機１０側で保留状態となる。その後に、子機５０側で発呼操作が行われると、親機１０の保留状態に加えて子機５０も保留状態になる親子保留状態になり、表示パネル１２ｂと表示パネル５３ｂに親子保留状態である旨が表示される。
【００２２】
この後に、子機５０側で操作キー５３ａにより親子保留状態を解除するための操作が行われると親子保留状態が解除されて、さらに子機５０が外線に接続されることで外線通話が可能になる。
次に、コードレス親子電話機１の親機１０により実行される発呼信号受信処理について説明する。
【００２３】
図２は、発呼信号受信処理を表すフローチャートである。この発呼信号受信処理は親機１０の制御部１１によって、親機１０が外線通話中状態，外線保留中状態，待機中状態のときに繰り返し実行される。
外線通話中状態とは、親機１０と相手側電話装置との間での通話が可能な状態、外線保留中状態とは親機１０と相手側電話装置との間での通話を保留している状態、待機中状態とは着信を待っている状態である。
【００２４】
この発呼信号受信処理において、制御部１１は、まずＳ０１にて、子機５０から発呼信号を受信したか否か判断する。ここで、発呼信号を受信したと判断すると（Ｓ０１：ＹＥＳ）、Ｓ０２に処理を移す。一方、発呼信号を受信していないと判断すると（Ｓ０１：ＮＯ）、Ｓ０１の処理を繰り返す。
【００２５】
Ｓ０２では、親機１０の現在の状態を判定し、外線通話中である場合には（Ｓ０２：外線通話中）、Ｓ０３に移行し、切断応答信号を子機５０へ送信して当該発呼信号受信処理を終了する。即ち、外線通話中状態を継続する。
また、外線保留中である場合には（Ｓ０２：外線保留中）、Ｓ０４に移行し、保留応答信号を子機５０へ送信して、さらにＳ０５において親子保留状態である旨を表示パネル１２ｂに表示する。その後にＳ０６において、親機１０を親子保留状態へ遷移させる処理を行い、当該発呼信号受信処理を終了する。
【００２６】
また、待機中である場合には（Ｓ０２：待機中）、Ｓ０７に移行し、外線接続応答信号を子機５０へ送信して、さらにＳ０８において子機５０が外線に接続されている旨を表示パネル１２ｂに表示する。その後にＳ０９において、子機５０を外線に接続するための子機外線接続状態へ親機１０を遷移させる処理を行い、当該発呼信号受信処理を終了する。
【００２７】
次に、コードレス親子電話機１の子機５０により実行される待機中処理について説明する。
図３は、待機中処理を表すフローチャートである。この待機中処理は子機５０の制御部５１によって、子機５０が待機中状態のときに繰り返し実行される。
【００２８】
この待機中処理においては、制御部５１はまずＳ１１にて、操作キー５３ａにより発呼の操作が行われたか否かを判断する。ここで、発呼操作が行われていないと判断すると（Ｓ１１：ＮＯ）、Ｓ１１の処理を繰り返す。一方、発呼操作が行われたと判断すると（Ｓ１１：ＹＥＳ）、Ｓ１２に移行し、親機１０へ発呼信号を送信する。その後、Ｓ１３に処理を移す。
【００２９】
Ｓ１３では、親機１０から応答信号を受信したか否かを判断する。ここで、応答信号を受信したと判断すると（Ｓ１３：ＹＥＳ）、Ｓ１４に処理を移す。一方、応答信号を受信してないと判断すると（Ｓ１３：ＮＯ）、Ｓ１３の処理を繰り返す。
【００３０】
Ｓ１４では、受信した応答信号が切断応答信号であるか否かを判断する。ここで、切断応答信号であると判断すると（Ｓ１４：ＹＥＳ）、Ｓ１５に移行し、子機５０は待機中である旨を表示パネル５３ｂに表示する。その後にＳ１１に移行し、上述の処理を繰り返す。
【００３１】
一方、切断応答信号でないと判断すると（Ｓ１４：ＮＯ）、Ｓ１６に移行し、受信した応答信号が保留応答信号であるか否かを判断する。ここで、保留応答信号であると判断すると（Ｓ１６：ＹＥＳ）、Ｓ１７に移行し、親子保留状態である旨を表示パネル５３ｂに表示する。その後Ｓ１８において、子機５０を親子保留状態へ遷移させる処理を行い、当該待機中処理を終了する。
【００３２】
また、Ｓ１６において保留応答信号でない、つまり受信した応答信号は外線接続応答信号であると判断すると（Ｓ１６：ＮＯ）、Ｓ１９において子機５０が外線に接続されている旨を表示パネル５３ｂに表示する。その後Ｓ２０において、子機５０を外線に接続するための子機外線接続状態へ子機５０を遷移させる処理を行い、当該待機中処理を終了する。
【００３３】
次に、コードレス親子電話機１の親機１０により実行される親機親子保留中処理について説明する。
図４（ａ）は、親機１０により実行される親機親子保留中処理を表すフローチャートである。この親機親子保留中処理は親機１０の制御部１１によって、親機１０が親子保留状態のときに繰り返し実行される。
【００３４】
この親機親子保留中処理において、制御部１１は、まずＳ３１にて、子機５０から保留解除信号を受信したか否か判断する。ここで、保留解除信号を受信していないと判断すると（Ｓ３１：ＮＯ）、Ｓ３２に処理を移す。
Ｓ３２では、操作キー１２ａにより外線通話の保留状態を解除するための操作が行われたか否か判断する。ここで、保留解除操作が行われていないと判断すると（Ｓ３２：ＮＯ）、Ｓ３１に処理を移し、上述の処理を繰り返す。
【００３５】
一方、保留解除操作が行われたと判断すると（Ｓ３２：ＹＥＳ）、Ｓ３３に処理を移し、切断応答信号を子機５０へ送信する。その後、親機１０側で外線通話を行うための外線通話状態へ親機１０を遷移させる処理を行い、当該親機親子保留中処理を終了する。
【００３６】
Ｓ３１の処理に戻り、保留解除信号を受信したと判断すると（Ｓ３１：ＹＥＳ）、Ｓ３５に処理を移す。
Ｓ３５では、ハンドセット１３がオンフック状態であるか否か判断する。ここで、ハンドセット１３がオンフック状態でないと判断すると（Ｓ３５：ＮＯ）、Ｓ３８に処理を移し、保留解除拒否応答信号を子機５０へ送信する。その後、Ｓ３２に移行し、上述の処理を繰り返す。
【００３７】
一方、オンフック状態であると判断すると（Ｓ３５：ＹＥＳ）、Ｓ３６に処理を移し、外線接続応答信号を子機５０へ送信し、その後にＳ３７において、子機５０を外線に接続するための子機外線接続状態へ親機１０を遷移させる処理を行い、当該親機親子保留中処理を終了する。
【００３８】
次に、コードレス親子電話機１の子機５０により実行される子機親子保留中処理について説明する。
図４（ｂ）は、子機５０により実行される子機親子保留中処理を表すフローチャートである。この子機親子保留中処理は子機５０の制御部５１によって、子機５０が親子保留状態のときに繰り返し実行される。
【００３９】
この子機親子保留中処理において、制御部５１は、まずＳ４１にて、操作キー５３ａにより親子保留状態を解除するための操作が行われたか否か判断する。ここで、保留解除操作が行われたと判断すると（Ｓ４１：ＹＥＳ）、Ｓ４２に処理を移し、保留解除信号を親機１０へ送信する。
【００４０】
その後、Ｓ４３において、親機１０からの応答を受信したか否かを判断する。ここで、応答信号を受信していないと判断すると（Ｓ４３：ＮＯ）、Ｓ４３の処理を繰り返す。一方、応答信号を受信したと判断すると（Ｓ４３：ＹＥＳ）、Ｓ４４に移行する。
【００４１】
Ｓ４４では、受信した応答信号が外線接続応答信号であるか否か判断する。ここで、外線接続応答信号であると判断すると（Ｓ４４：ＹＥＳ）、Ｓ４５に処理を移し、子機５０を外線に接続するための子機外線接続状態へ子機５０を遷移させる処理を行い、当該子機親子保留中処理を終了する。
【００４２】
一方、Ｓ４４において、外線接続応答信号でないと判断すると（Ｓ４４：ＹＥＳ）、受信した応答信号は保留解除拒否応答信号であるので、Ｓ４６において、親機１０のハンドセット１３がオフフック状態である旨を表示パネル５３ｂに表示するとともに、保留解除拒否の旨を表す音声を再生部５４により再生し、スピーカ部５５から出力する。その後に、Ｓ４１に移行し上述の処理を繰り返す。
【００４３】
Ｓ４１の処理に戻り、保留解除操作が行われていないと判断すると（Ｓ４１：ＮＯ）、Ｓ４７に処理を移し、送受話部５２をオンフックするなどの通話終了の操作をしたか否かを判断する。ここで、通話終了操作をしたと判断すると（Ｓ４７：ＹＥＳ）、Ｓ４９に移行する。
【００４４】
一方、通話終了操作をしていないと判断すると（Ｓ４７：ＮＯ）、Ｓ４８において、切断応答信号を受信したか否かを判断する。ここで、切断応答信号を受信していないと判断すると（Ｓ４８：ＮＯ）、Ｓ４１に移行し、上述した処理を繰り返す。また、切断応答信号を受信したと判断すると（Ｓ４８：ＹＥＳ）、Ｓ４９に移行する。
【００４５】
Ｓ４９では、子機５０を待機状態へ遷移させる処理を行い、当該子機親子保留中処理を終了する。
［本発明との対応関係］
以上説明した実施形態１において、ＮＣＵ１７は本発明における第１通信手段、無線通信部１６は本発明における第２通信手段である。
【００４６】
また、発呼信号は本発明における通話要求、保留応答信号は本発明における第１報知信号、保留解除信号は本発明における保留解除要求、保留解除拒否応答信号は本発明における第２報知信号である。
また、図３におけるＳ１７の処理は本発明における第１報知手段、図４におけるＳ３５の処理は本発明における検出手段として機能している。
【００４７】
［効果］
このように構成されたコードレス親子電話機１によれば、親機１０が相手側電話装置との間での通話を保留中に、子機５０からの発呼信号を親機が受信すると、図３におけるＳ１７の処理により子機からの通話要求がある旨を周囲に報知する。
【００４８】
このため、親機１０側の利用者は、親機１０の通話を保留している際に子機５０からの通話要求がある旨を知り、子機５０側で通話ができるように現在保留中の用件をできるだけ早く終わらせるという配慮をすることが可能になり、子機５０側で通話できない状況を短くすることができる。
【００４９】
また、親機１０が子機５０からの保留解除信号を受信した際に、ハンドセット１３がオフフック状態であれば、子機５０の保留は解除されない。
このため、ハンドセット１３がオフフック状態であるという、親機１０側で通話する可能性が高い状態において、相手側電話装置との間での通話を子機５０に取られてしまうということを防ぐことができる。
【００５０】
また、親機１０が子機５０からの保留解除信号を受信した際に、ハンドセット１３がオフフック状態であれば、子機５０は保留解除を禁止する旨を周囲に報知する。
このため、子機５０側の利用者は、子機５０の保留を解除できない状態にあることを知ることができる。
【００５１】
（実施の形態２）
以下、本発明の実施の形態２について図面をもとに説明する。
本発明の実施の形態２によるコードレス親子電話機１の構成は、図１と同様である。
【００５２】
実施の形態２のコードレス親子電話機１においては、親機１０側での外線通話中に操作キー１２ａにより外線通話を保留するための操作が行われると、親機１０側で保留状態となる。その後に、子機５０側で発呼操作が行われると、親機１０の保留状態に加えて子機５０も保留状態になる親子保留状態になり、子機５０側の表示パネル５３ｂに親子保留状態である旨が表示される。
【００５３】
この後に、子機５０側で親子保留状態を解除するための操作が行われると親子保留状態が解除されて、さらに子機５０が外線に接続されることで外線通話が可能になる。
一方、親子保留状態中に、子機５０側で親機１０との間で内線通話するための操作が行われると、親機１０側で呼出音が出力され、親機１０側で内線通話するための操作が行われると、外線通話を保留したまま、親機１０と子機５０との間で内線通話が可能になる。
【００５４】
尚、親機１０で実行される発呼信号受信処理は図２と同様であり、子機５０で実行される待機中処理は図３と同様である。
実施の形態２によるコードレス親子電話機１が実施の形態１と異なる点は、親機１０で実行される親機親子保留中処理（図４（ａ）参照）と、子機５０で実行される子機親子保留中処理（図４（ｂ）参照）である。
【００５５】
このため実施の形態２のコードレス親子電話機１による発呼信号受信処理と待機中処理の説明は省略し、以下に、実施の形態２において、親機親子保留中処理と子機親子保留中処理について説明する。
まず、図５を用いて、コードレス親子電話機１の親機１０により実行される親機親子保留中処理について説明する。
【００５６】
図５は、親機１０により実行される親機親子保留中処理を表すフローチャートである。この親機親子保留中処理は親機１０の制御部１１によって、親機１０が親子保留中状態のときに繰り返し実行される。
この親機親子保留中処理において、制御部１１は、まずＳ６１にて、子機５０から保留解除信号を受信したか否か判断する。ここで、保留解除信号を受信したと判断すると（Ｓ６１：ＹＥＳ）、Ｓ６２に移行し、外線接続応答信号を子機５０へ送信し、その後にＳ６３において、子機５０を外線に接続するための子機外線接続状態へ親機１０を遷移させる処理を行い、当該親機親子保留中処理を終了する。
【００５７】
一方、Ｓ６１において、保留解除信号を受信していないと判断すると（Ｓ６１：ＮＯ）、Ｓ６４に移行し、操作キー１２ａにより外線通話の保留状態を解除するための操作が行われたか否か判断する。ここで、保留解除操作が行われたと判断すると（Ｓ６４：ＹＥＳ）、Ｓ６５に処理を移し、切断応答信号を子機５０へ送信する。その後、親機１０側で外線通話を行うための外線通話状態へ親機１０を遷移させる処理を行い、当該親機親子保留中処理を終了する。
【００５８】
また、Ｓ６４において、保留解除操作が行われていないと判断すると（Ｓ６４：ＮＯ）、Ｓ６７に処理を移し、子機５０から内線通話要求信号を受信したか否か判断する。ここで内線通話要求信号を受信していないと判断すると（Ｓ６７：ＮＯ）、Ｓ６１に移行し、上述の処理を繰り返す。
【００５９】
一方、Ｓ６７において、内線通話要求信号を受信したと判断すると（Ｓ６７：ＹＥＳ）、Ｓ６８に移行し、再生部１５による呼出音の再生を行い、呼出音がスピーカ１４ａから出力される。
その後、Ｓ６９において、操作キー１２ａにより子機との内線通話を開始するための操作が行われたか否か判断する。ここで、内線通話開始操作が行われていないと判断すると、Ｓ６９の処理を繰り返す。一方、内線通話開始操作が行われたと判断すると（Ｓ６９：ＹＥＳ）、Ｓ７０に移行する。
【００６０】
Ｓ７０では、内線通話応答信号を子機５０へ送信する。その後、親機１０側で内線通話を行うための内線通話状態へ親機１０を遷移させる処理を行い、当該親機親子保留中処理を終了する。
次に、コードレス親子電話機１の子機５０により実行される子機親子保留中処理について説明する。
【００６１】
図６は、子機５０により実行される子機親子保留中処理を表すフローチャートである。この子機親子保留中処理は子機５０の制御部５１によって、子機５０が親子保留中状態のときに繰り返し実行される。
この子機親子保留中処理において、制御部５１は、まずＳ８１にて、操作キー５３ａにより親子保留状態を解除するための操作が行われたか否か判断する。ここで、保留解除操作が行われたと判断すると（Ｓ８１：ＹＥＳ）、Ｓ８２に処理を移し、保留解除信号を親機１０へ送信する。
【００６２】
その後、Ｓ８３において、親機１０からの外線接続応答信号を受信したか否かを判断する。ここで、外線接続応答信号を受信していないと判断すると（Ｓ８３：ＮＯ）、Ｓ８３の処理を繰り返す。一方、外線接続応答信号を受信したと判断すると（Ｓ８３：ＹＥＳ）、Ｓ８４に移行し、子機５０を外線に接続するための子機外線接続状態へ子機５０を遷移させる処理を行い、当該子機親子保留中処理を終了する。
【００６３】
Ｓ８１の処理に戻り、保留解除操作が行われていないと判断すると（Ｓ８１：ＮＯ）、Ｓ８５に処理を移し、操作キー５３ａにより親機との内線通話を開始するための操作が行われたか否かを判断する。ここで、内線通話開始操作が行われたと判断すると（Ｓ８５：ＹＥＳ）、Ｓ８６に処理を移し、内線通話要求信号を親機１０へ送信する。
【００６４】
その後、Ｓ８７において、親機１０から内線通話応答信号を受信したか否かを判断する。ここで、内線通話応答信号を受信していないと判断すると（Ｓ８７：ＮＯ）、Ｓ８７の処理を繰り返す。一方、内線通話応答信号を受信したと判断すると（Ｓ８７：ＹＥＳ）、Ｓ８８に移行し、子機５０側で内線通話を行うための内線通話状態へ子機５０を遷移させる処理を行い、当該子機親子保留中処理を終了する。
【００６５】
一方、内線通話開始操作が行われていないと判断すると（Ｓ８５：ＮＯ）、Ｓ８９に処理を移し、送受話部５２をオンフックするなどの通話終了の操作が行われたか否かを判断する。ここで、通話終了操作が行われたと判断すると（Ｓ８９：ＹＥＳ）、Ｓ９１に移行する。
【００６６】
また、Ｓ８９において、通話終了操作が行われていないと判断すると（Ｓ８９：ＮＯ）、Ｓ９０において、切断応答信号を受信したか否かを判断する。ここで、切断応答信号を受信していないと判断すると（Ｓ９０：ＮＯ）、Ｓ８１に移行し、上述した処理を繰り返す。また、切断応答信号を受信したと判断すると（Ｓ９０：ＹＥＳ）、Ｓ９１に移行する。
【００６７】
Ｓ９１では、子機５０を待機状態へ遷移させる処理を行い、当該子機親子保留中処理を終了する。
［本発明との対応関係］
以上説明した実施形態２において、操作キー１２ａは本発明における第１内線通話開始指令入力手段、操作キー５３ａは本発明における第２内線通話開始指令入力手段、内線通話要求信号は本発明における内線通話要求である。
【００６８】
［効果］
このように構成されたコードレス親子電話機１によれば、親機１０が子機５０の通話を保留した後に、子機５０からの内線通話要求信号を親機１０が受信すると、親機１０は子機５０から内線通話要求がある旨を周囲に報知し、その後に操作キー１２ａにより子機５０との内線通話を開始するための操作が行われると、相手側電話装置との間での通話を保留のまま、子機５０と親機１０との間での通話が可能になる。
【００６９】
このため、親機１０が子機５０の通話を保留した後に、子機１０からの内線要求に応じて、子機５０と親機１０との間で内線通話できるので、子機５０の利用者は、子機５０側から通話を行いたい旨を内線通話で親機１０側の利用者に伝えることが可能になる。即ち、親機１０側の利用者は、子機５０側で通話ができるように現在保留中の用件をできるだけ早く終わらせるという配慮をすることが可能になり、子機５０側で通話できない状況を短くすることができる。
【００７０】
［変形例］
以上、本発明の実施の形態について説明したが、本発明の実施の形態は上記実施の形態に何ら限定されることなく、本発明の技術的範囲に属する限り種々の形態をとり得ることはいうまでもない。
【００７１】
例えば、上記実施形態においては、コードレス親子電話機１に本発明の親子電話装置としての構成を適用したものを例示した。しかし、本発明の親子電話装置としての構成を適用する装置は、親機と子機で無線通信を行う機能を有していれば、コードレス親子電話機１以外の装置、例えば親機と子機を有するファクシミリ装置や複合機であってもよい。
【図面の簡単な説明】
【図１】実施の形態におけるコードレス親子電話機の構成を表すブロック図。
【図２】実施の形態１における発呼信号受信処理手順を示すフローチャート。
【図３】実施の形態１における待機中処理手順を示すフローチャート。
【図４】実施の形態１における親機・子機親子保留中処理手順を示すフローチャート。
【図５】実施の形態２における親機親子保留中処理手順を示すフローチャート。
【図６】実施の形態２における子機親子保留中処理手順を示すフローチャート。
【符号の説明】
１…コードレス親子電話機、１０…親機、１１…制御部、１２…ユーザＩ／Ｆ、１２ａ…操作キー、１２ｂ…表示パネル、１３…ハンドセット、１４…音声入出力部、１４ａ…スピーカ、１４ｂ…マイク、１４ｃ…駆動回路、１５…再生部、１６…無線通信部、１７…ＮＣＵ、１８…経路切換部、５０…子機、５１…制御部、５２…送受話部、５３…ユーザＩ／Ｆ、５３ａ…操作キー、５３ｂ…表示パネル、５４…再生部、５５…スピーカ部、１００…公衆電話回線網。
【図１】
2004304300.tif 000003
【図２】
2004304300.tif 000004
【図３】
2004304300.tif 000005
【図４】
2004304300.tif 000006
【図５】
2004304300.tif 000007
【図６】
2004304300.tif 000008